(57)【要約】【課題】連続運転が可能で、ストレーナ清掃要員の削減が可能な水封槽の操業安定化方法を提供する。【解決手段】  乾留キルンにより廃棄物を熱分解した残さを投下し、循環ポンプにより循環させる水封槽の操業安定化方法であって、前記水封槽に複数の取水部を設け、該取水部に設けた金網により前記熱分解した残さに含まれる残さカーボンを捕集し、前記複数の取水部のうち閉塞した取水部からの取水を停止して、該閉塞した取水部に設けられた金網に流体による逆圧をかけて洗浄しながら、閉塞していない取水部からの取水を継続することにより、前記循環ポンプを停止させることなく取水部の閉塞を解除することを特徴とする水封槽の操業安定化方法。【選択図】図１
2006257197.tif 000002
【特許請求の範囲】
【請求項１】
乾留キルンにより廃棄物を熱分解した残さを投下し、循環ポンプにより循環させる水封槽の操業安定化方法であって、
前記水封槽に複数の取水部を設け、該取水部に設けた金網により前記熱分解した残さに含まれる残さカーボンを捕集し、
前記複数の取水部のうち閉塞した取水部からの取水を停止して、該閉塞した取水部に設けられた金網に流体による逆圧をかけて洗浄しながら、閉塞していない取水部からの取水を継続することにより、前記循環ポンプを停止させることなく取水部の閉塞を解除することを特徴とする水封槽の操業安定化方法。
【請求項２】
前記取水部の下流における圧力と水封槽の圧力との差圧を監視することにより、前記取水部の閉塞を検知して、自動弁により取水を停止することを特徴とする請求項１に記載の水封槽の操業安定化方法。
【発明の詳細な説明】
【技術分野】
【０００１】
本発明は、乾留キルンにより廃棄物を熱分解した残さを投下し、循環ポンプにより循環させる水封槽の操業安定化方法に関する。
具体的には、例えば廃タイヤなどのカーボンを含む廃棄物を熱分解した残さを含む流体を循環させながら比重差によって分離する水封槽の操業安定化方法に関する。
【背景技術】
【０００２】
タイヤは、平均的に１３％程度のワイヤ、３０％程度のカーボンと  残りがゴム、石油系軟化材、繊維材料にて構成されており、廃タイヤを、完全乾留で400〜700℃で熱分解させると、ゴムおよび軟化材が熱分解され、高カロリーガス、油、ワイヤ、およびカーボンが生成される。
たとえば、約600℃で熱分解すると、約２０wt%がガス、約３０％が油、約３７％がカーボン、および１３％のワイヤができ、実際に外熱型乾留キルンにて廃タイヤを外熱を利用して、熱分解させると前記した再生物が回収可能となる。
図３は、廃タイヤを乾留キルンにより処理する場合の従来の設備フローを示す図である。
廃タイヤは、乾留キルンに定量供給され、400〜700℃にて熱分解され、乾留キルン炉尻より、ガス、油分はガス化にて上部より排出され、下部方向では、ガス化されないワイヤおよび残さカーボンなどの熱分解残さが排出され、比重分離にてワイヤおよび残さカーボンが分離回収される。
【０００３】
残さ回収設備では、乾留キルンより排出されたワイヤおよび残さカーボンを含む熱分解残さを、シール装置を兼ねた水封槽１の水中に設置した水封水車６にて水中に引き込み、比重分離にてワイヤと残さに分離する。
水封槽１に沈降したワイヤはワイヤ掻上げコンベヤにて回収され、水面へ浮上した残さカーボンは水流を利用して、残さ回収コンベヤへ誘導し、同コンベヤにて回収される。
残さカーボン誘導用の水流は排水を出さないようにするために、水封槽の水を循環ポンプ３により循環させて利用するが、水封槽１の水を取水する際に水中に浮遊している残さカーボンも同伴させてしまうため、数分おきにストレーナの清掃が必要となるという問題点があった。
なお、熱分解残さを比重分離する方法に関しては、例えば特開２００３−２３６４０６号公報に開示されているが、前述のようなストレーナの目詰まりを解消する方法については検討されていなかった。
【特許文献１】特開２００３−２３６４０６号公報
【発明の開示】
【発明が解決しようとする課題】
【０００４】
本発明は、前述のような従来技術の問題点を解決し、連続運転が可能で、ストレーナ清掃要員の削減が可能な水封槽の操業安定化方法を提供することを課題とする。
【課題を解決するための手段】
【０００５】
本発明は、前述の課題を解決するために、鋭意検討の結果なされたものであり、取水部を複数系統とし、取水部で残さカーボンを捕集し、取水部を切替えながら自動逆洗することにより、簡単な機器構成で連続運転が可能で、ストレーナ清掃要員の削減が可能な水封槽の操業安定化方法を提供するものであり、その要旨とするところは、特許請求の範囲に記載した通りの下記内容である。
（１）乾留キルンにより廃棄物を熱分解した残さを投下し、循環ポンプにより循環させる水封槽の操業安定化方法であって、前記水封槽に複数の取水部を設け、該取水部に設けた金網により前記熱分解した残さに含まれる残さカーボンを捕集し、前記複数の取水部のうち閉塞した取水部からの取水を停止して、該閉塞した取水部に設けられた金網に流体による逆圧をかけて洗浄しながら、閉塞していない取水部からの取水を継続することにより、前記循環ポンプを停止させることなく取水部の閉塞を解除することを特徴とする水封槽の操業安定化方法。
（２）記取水部の下流における圧力と水封槽の圧力との差圧を監視することにより、前記取水部の閉塞を検知して、自動弁により取水を停止することを特徴とする請求項１に記載の水封槽の操業安定化方法。
【発明の効果】
【０００６】
本発明によれば、取水部を複数系統とし、取水部で残さカーボンを捕集し、取水部を切替えながら自動逆洗することにより、簡単な機器構成で連続運転が可能で、ストレーナ清掃要員の削減が可能な水封槽の操業安定化方法を提供することができ、具体的には下記のような産業上有用な著しい効果を奏する。
１）取水部を複数系統設け、閉塞した系統のみ取水停止することにより取水量が安定するため、カーボンの誘導を安定化させることができる。
２）取水部の下流における圧力と水封槽の圧力との差圧を監視することにより、前記取水部の閉塞を検知して、自動弁により取水を停止して自動的に逆洗することによりストレーナ清掃要員が不要となる。
【発明を実施するための最良の形態】
【０００７】
本発明の実施形態について、図１および図２を用いて詳細に説明する。
図１は、本発明における水封槽の操業安定化方法の実施形態を例示する図である。
図１において、１は水封槽、２は取水部、３は循環ポンプ、４は取水切替用自動弁、５は逆洗用自動弁、６は水封水車を示す。
本発明は、乾留キルンにより廃棄物を熱分解した残さを投下し、循環ポンプ３により循環させる水封槽１の操業安定化方法である。
図１に示すように、本発明においては、前記水封槽１に複数の取水部２を設け、該取水部２に設けた金網により前記熱分解した残さに含まれる残さカーボンを捕集し、前記複数の取水部２のうち閉塞した取水部からの取水を停止して、該閉塞した取水部に設けられた金網に流体による逆圧をかけて洗浄しながら、閉塞していない取水部からの取水を継続することにより、前記循環ポンプ３を停止させることなく取水部の閉塞を解除することを特徴とする。
水封槽１に複数（図１の例では２箇所）の取水部２を設け、取水部２に従来のストレーナと同等の開口を持った残さカーボン捕集用の金網を設置し、残さカーボンを捕集する。
【０００８】
例えば、図１左側の取水部２の金網に残さカーボンが付着して取水部２が閉塞した場合には点線で示す取水ラインの取水切替用自動弁４を閉じることによって取水を停止しながら、閉塞していない実線の取水ラインの取水切替用自動弁４を開けたままにすることによって取水を継続し、閉塞した金網に、水、圧縮空気、窒素などの流体を供給する逆洗用自動弁５を開けることによって逆圧をかけて洗浄することにより、循環ポンプ３を停止させることなく、取水部の閉塞を解除することができる。
また、図１右側の取水部２が閉塞した場合には、図１の点線で示すラインの取水切替用自動弁４および逆洗用自動弁５を開けて点線のラインに流体を流すことによって、循環ポンプ３を停止させることなく、取水部の閉塞を解除することができる。
これによって、従来必要であった、頻繁なストレーナの清掃作業をなくすことができる。
【０００９】
また、水封槽１は大気に開放されているので、図１に示すように取水部２の下流に負圧ゲージＰＧを設けることによって、取水部２の下流における圧力と水封槽の圧力との差圧を監視することにより、前記取水部の閉塞を検知して、自動弁により取水を停止することができる。
図２は、本発明に用いる取水部を例示する詳細図である。
図２に示すように、取水部の内面に金網８を設けることによって、水封槽に浮遊する残さカーボンを捕集することができるようにするとともに、金網８の外面から逆洗用ノズル９により、水、圧縮空気、窒素などの流体を噴射して逆圧をかけ洗浄することにより、金網８に付着した残さカーボンを除去して取水口７の閉塞状態を解除することができる。
本発明によれば、複数の取水部２を設け、取水部２に設けた金網によって残さカーボンを捕集し、取水部２を切替えながら自動逆洗することにより、簡単な機器構成で連続運転が可能で、ストレーナ清掃要員の削減が可能な水封槽の操業安定化方法を提供することができる。
【実施例】
【００１０】
本発明の水封槽の操業安定化方法を、下記条件にて実施した。
＜実施条件＞
炉尻乾留ガス            600℃
ワイヤ発生量          520kg/h
残さカーボン発生量   1200kg/h
水封槽取水量             70m3/h
その結果、取水部に設けた金網に残さカーボンが付着して閉塞しても、閉塞していない他方の取水部から取水することによって、水封槽の操業を継続することができ、本発明の効果が確認された。
【図面の簡単な説明】
【００１１】
【図１】本発明における水封槽の操業安定化方法の実施形態を例示する図である。
【図２】本発明に用いる取水部を例示する詳細図である。
【図３】廃タイヤを乾留キルンにより処理する場合の従来の設備フローを示す図である。
【図１】
2006257197.tif 000003
【図２】
2006257197.tif 000004
【図３】
2006257197.tif 000005